Podtech/llm-jp-corpus-v4-ja_patent huggingface dataset:
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
レンズ部と、
前記レンズ部に向かって光を照射する光源部と、を具備し、
前記レンズ部は、
少なくとも１つの曲面を有する本体と、
該本体の一側に配置され、前記光を利用して３次元イメージを形成するように構成されたフィルム部と、を含み、
該フィルム部が、
前記３次元イメージを形成するように構成された複数個の単位オプティカルフィルムと、
前記単位オプティカルフィルムと前記本体との間に配置されるベースフィルムと、を含み、
前記複数個の単位オプティカルフィルムが、所定の隔離距離（ｄ２）により相互に距離をおいて配置され、前記複数個の単位オプティカルフィルムの間にスリットを形成し、
前記単位オプティカルフィルムの幅（Ｗ）に基づく前記隔離距離（ｄ２）が、０.０１×Ｗ〜０.０５×Ｗの範囲にある、車両用ランプ。
【請求項２】
前記単位オプティカルフィルムが前記ベースフィルムの一側に印刷される、請求項１に記載の車両用ランプ。
【請求項３】
前記３次元イメージを形成するために構成される複数のパターンが、前記単位オプティカルフィルムの一側及び他側のうちの少なくとも一方に形成される、請求項１又は請求項２に記載の車両用ランプ。
【請求項４】
前記３次元イメージを形成するために構成される複数のパターンが、前記単位オプティカルフィルムの一側及び他側の各々に形成され、
前記他側に形成される前記複数のパターンが、前記一側に形成される前記複数のパターンの長手方向に対して所定の角度（θ）により傾斜して配置される、請求項１又は請求項２に記載の車両用ランプ。
【請求項５】
レンズ部と、
該レンズ部に向かって光を発するように構成された光源部と、を具備し、
前記レンズ部は、
少なくとも１つの曲面を有する本体と、
前記本体の一側に配置され、前記光を利用して３次元イメージを形成するように構成されたフィルム部と、を含み、
該フィルム部が、
前記３次元イメージを形成するように構成された複数個の第１単位オプティカルフィルムと、
前記３次元イメージを形成する複数個の第２単位オプティカルフィルムと、
ベースフィルムと、を含み、
前記第１単位オプティカルフィルムと前記第２単位オプティカルフィルムとが、所定の隔離距離（ｄ３）により相互に距離をおいて前記ベースフィルムの一側に配置され、
前記３次元イメージを形成するために構成される複数のパターンが、前記第１単位オプティカルフィルム及び前記第２単位オプティカルフィルムの各々の一側及び他側に形成され、
前記他側に形成される前記複数のパターンが、前記一側に形成される前記複数のパターンの長手方向に対して所定の角度により傾斜して形成される、車両用ランプ。
【請求項６】
前記ベースフィルムの一側に配置される前記第１単位オプティカルフィルムが、三角形、四角形及び台形のうち少なくとも１つの形状に形成される、請求項５に記載の車両用ランプ。
【請求項７】
前記複数のパターンが、所定の隔離距離（ｄ）により相互に距離をおいて配置される、請求項３又は請求項５に記載の車両用ランプ。
【請求項８】
前記複数のパターンが、所定の隔離距離（ｄ１）により相互に距離をおいて配置される、請求項４又は請求項５に記載の車両用ランプ。
【請求項９】
レンズ部と、
該レンズ部に向かって光を発する光源部と、を具備し、
前記レンズ部が、
少なくとも１つの曲面を有する本体と、
該本体の一側に配置され、前記光を利用して３次元イメージを形成するように構成されたフィルム部と、を含み、
前記レンズ部が、金型を利用してアイエムエル（ＩＭＬ：Ｉｎ−ｍｏｌｄ  Ｌａｂｅｌｌｉｎｇ）方式により射出され、
フィルム部が、
前記３次元イメージを形成するように構成されたオプティカルフィルムと、
該オプティカルフィルムと前記本体との間に挟まれたベースフィルムと、を含み、
接着層が、前記ベースフィルムと前記本体との間にさらに挟まれて、接着を向上させ、該接着により該ベースフィルムが該本体に付着させられ、
保護フィルムが、前記オプティカルフィルムの一側に配置され、該オプティカルフィルムを保護するように構成され、
反射層が、前記オプティカルフィルムと前記保護フィルムとの間にさらに挟まれる、車両用ランプ。
【請求項１０】
前記３次元イメージを形成するように構成された複数のパターンが、前記オプティカルフィルムの一側及び他側のうちの少なくとも一方に形成される、請求項９に記載の車両用ランプ。
【請求項１１】
前記３次元イメージを形成するように構成される複数のパターンが、前記オプティカルフィルムの一側及び他側に形成され、
前記他側に形成される前記複数のパターンが、前記一側に形成される前記複数のパターンの長手方向に対して所定の角度により傾斜するように配置される、請求項９に記載の車両用ランプ。
【請求項１２】
酸化防止層が、前記反射層と前記保護フィルムとの間に酸化防止層がさらに挟まれ、アルミニウム又は銀を含有する前記反射層の酸化を防止する、請求項９から請求項１１のいずれかに記載の車両用ランプ。
【請求項１３】
前記酸化防止層がシリコン又はステンレス鋼を含有する、請求項１２に記載の車両用ランプ。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)において、サービング基地局から指示を受信するステップと、
前記指示によって識別される送信構成に従ってアップリンク復調基準信号(DMRS)の送信を構成するステップであって、前記指示は、シングルキャリア周波数分割多重(SC-FDM)構成またはインターレースされた周波数分割多重(IFDM)構成のうちの1つを識別する、ステップと、
前記送信構成に従って前記DMRSを送信するステップと
を含み、
前記指示を受信するステップが、前記サービング基地局からリソースブロック割当てを受信するステップを含み、前記SC-FDM構成またはIFDM構成のうちの前記1つが、前記割り当てられたリソースブロックの数に基づいて決定される、方法。
【請求項２】
前記指示を受信するステップは、
前記サービング基地局からダウンリンク制御情報(DCI)を受信するステップであって、前記指示は、前記SC-FDM構成またはIFDM構成のうちの1つを示す前記DCIに含まれるビットインジケータに関連付けられる、ステップ、あるいは
探索空間において前記サービング基地局から前記DCIを受信するステップであって、前記SC-FDM構成またはIFDM構成のうちの前記1つは、前記DCIのフォーマットおよび前記探索空間のタイプに基づいて決定される、ステップ
のうちの1つを含む、請求項1に記載の方法。
【請求項３】
前記SC-FDM構成またはIFDM構成のうちの前記1つは、前記リソースブロック割当てが偶数個のリソースブロックを割り当てるか、それとも奇数個のリソースブロックを割り当てるかに基づいて決定される、請求項1に記載の方法。
【請求項４】
前記指示が前記IFDM構成を識別することに応答して、
前記サービング基地局から受信されたアップリンクDCIにおける直交カバーコード(OCC)/サイクリックシフト(CS)フィールドのフィールド値を識別するステップと、
前記識別されるフィールド値に関連付けられる前記DMRSを送信するステップのためのコム値を決定するステップであって、前記DMRSを送信するステップは、前記決定されたコム値を使用して実行される、ステップと
をさらに含む、請求項1に記載の方法。
【請求項５】
前記送信構成に従って送信するステップのためのサブフレーム内の1つまたは複数のシンボルを識別するステップと、
前記1つまたは複数のシンボルのうちの少なくとも1つのためにスケジュールされたサウンディング基準信号(SRS)と前記DMRSの送信をインターリーブするステップと
をさらに含む、請求項1に記載の方法。
【請求項６】
前記指示が前記IFDM構成を識別することに応答して、
前記DMRSに電力ブースティングを適用するステップであって、前記電力ブースティングは、DMRS送信およびデータ送信にわたって同じ総電力を維持し、前記電力ブースティングは、コム値の設定された数に基づいてスケーリングされる、ステップ
をさらに含む、請求項1に記載の方法。
【請求項７】
アップリンク共有チャネル上に送信アップリンク制御情報(UCI)を構成するステップと、
UCIタイプに従ったPUSCH送信のために構成されるとともに、第1の送信構成のために構成された、UCIのための第1のbeta_offsetを適用するステップと、
第2の送信構成に従ったPUSCH送信のために構成されたUCIのための第2のbeta_offsetを適用するステップと
さらに含む、請求項1に記載の方法。
【請求項８】
ワイヤレス通信のために構成された装置であって、
ユーザ機器(UE)において、サービング基地局から指示を受信するための手段と、
前記指示によって識別される送信構成に従ってアップリンク復調基準信号(DMRS)の送信を構成するための手段であって、前記指示は、シングルキャリア周波数分割多重(SC-FDM)構成またはインターレースされた周波数分割多重(IFDM)構成のうちの1つを識別する、手段と、
前記送信構成に従って前記DMRSを送信するための手段と
を含み、
前記指示を受信するための手段が、前記サービング基地局からリソースブロック割当てを受信するための手段を含み、前記SC-FDM構成またはIFDM構成のうちの前記1つが、前記割り当てられたリソースブロックの数に基づいて決定される、装置。
【請求項９】
前記指示を受信するための前記手段は、
前記サービング基地局からダウンリンク制御情報(DCI)を受信するための手段であって、前記指示は、前記SC-FDM構成またはIFDM構成のうちの1つを示す前記DCIに含まれるビットインジケータに関連付けられる、手段、あるいは
探索空間において前記サービング基地局から前記DCIを受信するための手段であって、前記SC-FDM構成またはIFDM構成のうちの前記1つは、前記DCIのフォーマットおよび前記探索空間のタイプに基づいて決定される、手段
のうちの1つを含む、請求項8に記載の装置。
【請求項１０】
前記SC-FDM構成またはIFDM構成のうちの前記1つは、前記リソースブロック割当てが偶数個のリソースブロックを割り当てるか、それとも奇数個のリソースブロックを割り当てるかに基づいて決定される、請求項8に記載の装置。
【請求項１１】
前記指示が前記IFDM構成を識別することに応答して、
前記サービング基地局から受信されたアップリンクDCIにおける直交カバーコード(OCC)/サイクリックシフト(CS)フィールドのフィールド値を識別するための手段と、
前記識別されるフィールド値に関連付けられる前記DMRSを送信するための前記手段のためのコム値を決定するための手段であって、前記DMRSを送信するための前記手段は、前記決定されたコム値を使用して実行される、手段と
をさらに含む、請求項8に記載の装置。
【請求項１２】
前記送信構成に従って送信するための前記手段のためのサブフレーム内の1つまたは複数のシンボルを識別するための手段と、
前記1つまたは複数のシンボルのうちの少なくとも1つのためにスケジュールされたサウンディング基準信号(SRS)と前記DMRSの送信をインターリーブするための手段と
をさらに含む、請求項8に記載の装置。
【請求項１３】
前記指示が前記IFDM構成を識別することに応答して、
前記DMRSに電力ブースティングを適用するための手段であって、前記電力ブースティングは、DMRS送信およびデータ送信にわたって同じ総電力を維持し、前記電力ブースティングは、コム値の設定された数に基づいてスケーリングされる、手段
をさらに含む、請求項8に記載の装置。
【請求項１４】
アップリンク共有チャネル上に送信アップリンク制御情報(UCI)を構成するための手段と、
UCIタイプに従ったPUSCH送信のために構成されるとともに、第1の送信構成のために構成された、UCIのための第1のbeta_offsetを適用するための手段と、
第2の送信構成に従ったPUSCH送信のために構成されたUCIのための第2のbeta_offsetを適用するための手段と
さらに含む、請求項8に記載の装置。
【請求項１５】
請求項1から7のうちのいずれか一項に記載の方法を実行するための命令を含むコンピュータプログラム。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
無線通信を行う装置であって、
プロセッサと、
前記プロセッサと結合されるメモリであって、前記プロセッサにより実行されたときに、
サービングビームとして設定された第１ビームを介してユーザ装置と通信することと、
ビーム基準信号に基づいて、前記第１ビームとサービングビームとして設定されていない第２ビームとを含む複数のビームの測定に用いられるビーム基準信号を前記ユーザ装置に送信することと、
前記測定に基づくフィードバックを前記ユーザ装置から受信することと、
ビーム追加／解放コマンドであって、対応するビームの追加又は解放を示す１又は０にそれぞれ設定された複数のビットフィールドを含むビーム追加／解放コマンドを、媒体アクセス制御要素（ＭＡＣ  ＣＥ）で前記ユーザ装置に送信することと、
１つ又は複数のビームの前記サービングビームへの追加又は前記サービングビームからの解放を、前記ビーム追加／解放コマンドに基づいて制御することと、
を含む動作を前記プロセッサに行わせる実行可能な命令を格納するメモリと、
を含む装置。
【請求項２】
前記動作は、前記測定の報告を前記ユーザ装置から入手することをさらに含む、請求項１に記載の装置。
【請求項３】
前記第２ビームは候補ビームである、請求項１に記載の装置。
【請求項４】
前記動作は、前記測定が閾値に達したことに基づいて、前記ユーザ装置から前記測定の報告を入手することをさらに含む、請求項１に記載の装置。
【請求項５】
前記動作は、割当をスケジューリングするために前記サービングビームを介して割当をスケジューリングすることをさらに含む、請求項１に記載の装置。
【請求項６】
前記測定は基準信号受信電力を含む、請求項１に記載の装置。
【請求項７】
前記装置はｇＮｏｄｅＢである、請求項１に記載の装置。
【請求項８】
無線通信を行う装置であって、
プロセッサと、
前記プロセッサと結合されるメモリであって、前記プロセッサにより実行されたときに、
サービングビームとして設定された第１ビームを介してネットワークノードと通信することと、
ビーム基準信号に基づいて、前記第１ビームとサービングビームとして設定されていない第２ビームとを含む複数のビームについて測定を行うことと、
前記複数のビームの測定に基づくフィードバックを送信することと、
ビーム追加／解放コマンドであって、対応するビームの追加又は解放を示す１又は０にそれぞれ設定された複数のビットフィールドを含むビーム追加／解放コマンドを、前記ネットワークノードから媒体アクセス制御要素（ＭＡＣ  ＣＥ）で受信することと、
１つ又は複数のビームの前記サービングビームへの追加又は前記サービングビームからの解放を、前記ビーム追加／解放コマンドに基づいて制御することと、
を含む動作を前記プロセッサに行わせる実行可能な命令を格納するメモリと、
を含む装置。
【請求項９】
前記動作は、前記測定を前記ネットワークノードに報告することをさらに含む、請求項８に記載の装置。
【請求項１０】
前記第２ビームは候補ビームである、請求項８に記載の装置。
【請求項１１】
前記動作は、前記測定が閾値に達したことに基づいて、前記ネットワークノードに前記測定を報告することをさらに含む、請求項８に記載の装置。
【請求項１２】
前記測定は基準信号受信電力を含む、請求項８に記載の装置。
【請求項１３】
前記動作は、割当をスケジューリングするためにサービングビームを監視することをさらに含む、請求項８に記載の装置。
【請求項１４】
前記装置はユーザ装置（user  equipment：ＵＥ）である、請求項８に記載の装置。
【請求項１５】
無線通信方法であって、
サービングビームとして設定された第１ビームを介してネットワークノードと通信することと、
ビーム基準信号に基づいて、前記第１ビームとサービングビームとして設定されていない第２ビームとを含む複数のビームについて測定を行うことと、
前記複数のビームの測定に基づくフィードバックを送信することと、
ビーム追加／解放コマンドであって、対応するビームの追加又は解放を示す１又は０にそれぞれ設定された複数のビットフィールドを含むビーム追加／解放コマンドを、前記ネットワークノードから媒体アクセス制御要素（ＭＡＣ  ＣＥ）で受信することと、
１つ又は複数のビームの前記サービングビームへの追加又は前記サービングビームからの解放を、前記ビーム追加／解放コマンドに基づいて制御することと、
を含む方法。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
基地局によって実行される、ワイヤレス通信のための方法であって、
ハイブリッド自動再送要求(HARQ)プロセスタイミングを特定するステップと、
半永続スケジューリング(SPS)アップリンク送信のために指定される送信時間間隔(TTI)間の時間長を特定するステップと、
前記SPSアップリンク送信のためのキャリアを構成するステップであって、前記SPSアップリンク送信のスケジュールが、前記HARQプロセスタイミングと、前記SPSアップリンク送信のために指定される前記TTI間の前記時間長とに少なくとも一部基づく、ステップと、
前記キャリア構成および前記SPSアップリンク送信の前記スケジュールを示すシグナリングを送信するステップと、
アップリンクメッセージが元々SPS送信のために指定されたサブフレーム上で送信された場合、SPS送信のために指定されていないサブフレーム上で前記アップリンクメッセージを再送信するのを控えるようにユーザ機器(UE)を構成するステップと、
を備える、方法。
【請求項２】
前記スケジュールに従って前記SPSアップリンク送信のために指定される第1のTTIの間にアップリンクメッセージを受信するステップと、
前記SPSアップリンク送信のために指定される第2のTTI上で前記アップリンクメッセージの再送信を受信するステップとをさらに備え、前記再送信のタイミングが前記スケジュールおよび前記HARQプロセスタイミングに少なくとも一部基づく、請求項1に記載の方法。
【請求項３】
前記HARQプロセスタイミングに少なくとも一部基づいて前記SPSアップリンク送信のために指定されるTTI間の前記時間長を構成するステップをさらに備える、請求項1に記載の方法。
【請求項４】
前記SPSアップリンク送信のために指定されたTTI間の前記時間長が、前記SPSアップリンク送信のために指定されたTTIの間の前記HARQプロセスタイミングに従ってアップリンクメッセージの再送信をサポートするように構成される、請求項3に記載の方法。
【請求項５】
前記HARQプロセスタイミングが送信と再送信との間に8TTIの時間長を備える、請求項3に記載の方法。
【請求項６】
前記SPSアップリンク送信のために指定されるTTI間の前記時間長に少なくとも一部基づいて前記HARQプロセスタイミングを構成するステップをさらに備える、請求項1に記載の方法。
【請求項７】
前記SPSアップリンク送信のために指定されたTTI間の前記時間長が、前記SPSアップリンク送信のために指定されたTTIの間の前記HARQプロセスタイミングに従ってアップリンクメッセージの再送信をサポートするように構成される、請求項6に記載の方法。
【請求項８】
前記SPSアップリンク送信のために指定される前記TTI間の前記時間長が10TTIの時間長を備える、請求項6に記載の方法。
【請求項９】
請求項１〜８のいずれか一項に記載の方法のすべてのステップを実行するように構成された手段を備える装置。
【請求項１０】
請求項１〜８のいずれか一項に記載の方法のすべてのステップを実施するためのコンピュータ実行可能なプログラム命令を含むコンピュータプログラム。
【請求項１１】
ユーザ機器(UE)によって実行される、ワイヤレス通信のための方法であって、
キャリアが半永続スケジューリング(SPS)アップリンク送信のために構成されることを示すシグナリングを受信するステップであって、前記SPSアップリンク送信のスケジュールが、ハイブリッド自動再送要求(HARQ)プロセスタイミングと、前記SPSアップリンク送信のために指定される送信時間間隔(TTI)間の時間長とに少なくとも一部基づく、ステップと、
前記シグナリングに少なくとも一部基づいて前記SPSアップリンク送信のために指定される前記TTI間の前記時間長を決定するステップと、
前記SPSアップリンク送信の前記スケジュールおよび前記HARQプロセスタイミングに従って、前記SPSアップリンク送信のために指定される前記TTIの間に基地局と通信するステップとを備え、
アップリンクメッセージが元々SPS送信のために指定されたサブフレーム上で送信された場合、前記UEがSPS送信のために指定されていないサブフレーム上で前記アップリンクメッセージを再送信するのを控えるように構成される、方法。
【請求項１２】
前記基地局と通信するステップが、
前記スケジュールに従って前記SPSアップリンク送信のために指定される第1のTTIの間にアップリンクメッセージを送信するステップと、
前記SPSアップリンク送信のために指定される第2のTTI上で前記アップリンクメッセージを再送信するステップとを備え、前記再送信のタイミングが前記スケジュールおよび前記HARQプロセスタイミングに少なくとも一部基づく、請求項11に記載の方法。
【請求項１３】
否定応答(NACK)を受信するステップをさらに備え、前記SPSアップリンク送信のために指定される前記第2のTTI上で前記アップリンクメッセージを再送信するステップが、前記NACKを受信したことに少なくとも一部基づく、請求項12に記載の方法。
【請求項１４】
請求項１１〜１３のいずれか一項に記載の方法のすべてのステップを実行するように構成された手段を備える装置。
【請求項１５】
請求項１１〜１３のいずれか一項に記載の方法のすべてのステップを実施するためのコンピュータ実行可能なプログラム命令を含むコンピュータプログラム。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
第１エンティティに関連するデバイスでデータトランザクションレコーディング方法において、
第１シードデータを決定するステップと、
前記第１エンティティと第２エンティティとの間の第１データトランザクションのレコードを生成するステップと、
少なくとも前記第１シードデータ及び前記第１データトランザクションのレコードを結合して第２シードデータを決定するステップと、
前記第２シードデータをハッシュして第１ハッシュを生成するステップであって、前記第１ハッシュは、前記第１エンティティを含むデータトランザクションのヒストリーを含む、前記第１ハッシュを生成するステップと、
前記第１データトランザクションの前記レコードに対する前記第１ハッシュをメモリに格納するステップと、
を含むデータトランザクションレコーディング方法。
【請求項２】
前記第１シードデータは開始ハッシュを含む、請求項１に記載のデータトランザクションレコーディング方法。
【請求項３】
前記開始ハッシュは、前記第１エンティティを含む以前のデータトランザクションのレコードをハッシュした結果である、請求項２に記載のデータトランザクションレコーディング方法。
【請求項４】
前記開始ハッシュはランダムハッシュを含む、請求項２に記載のデータトランザクションレコーディング方法。
【請求項５】
前記ランダムハッシュは、前記デバイスからの署名、前記ランダムハッシュが生成された日付、及び前記ランダムハッシュが生成された時間のうちの少なくとも１つを含む、請求項４に記載のデータトランザクションレコーディング方法。
【請求項６】
第２シードデータを提供するステップは、前記第１シードデータ及び前記第１データトランザクションの前記レコードと第１ゼロ知識証明及び第２ゼロ知識証明を結合するステップをさらに含み、
前記第１ゼロ知識証明は、前記開始ハッシュが前記第１エンティティを含む前記以前のデータトランザクションの真のハッシュを含むという証明を含み、
前記第２ゼロ知識証明は、第２ハッシュが前記第２エンティティを含む以前のデータトランザクションの前記真のハッシュを含むという証明を含む、請求項１乃至請求項５のいずれか一項に記載のデータトランザクションレコーディング方法。
【請求項７】
第２シードデータを提供するステップは、前記第１シードデータ、前記第１データトランザクションの前記レコード、前記第１ゼロ知識証明及び前記第２ゼロ知識証明と第３ゼロ知識証明を結合するステップをさらに含む、請求項６に記載のデータトランザクションレコーディング方法。
【請求項８】
前記第３ゼロ知識証明は、ランダムデータから生成される、請求項７に記載のデータトランザクションレコーディング方法。
【請求項９】
前記第３ゼロ知識証明は、前記第１ゼロ知識証明又は前記第２ゼロ知識証明の繰り返しである、請求項７に記載のデータトランザクションレコーディング方法。
【請求項１０】
前記第３ゼロ知識証明は、前記第２ゼロ知識証明に対応する前記第１データトランザクションの第２レコードを用いて構成される、請求項７に記載のデータトランザクションレコーディング方法。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
複数のサブバンドを備えるエアインターフェースを介した、スケジューリングエンティティと被スケジューリングエンティティとの間のワイヤレス通信の方法であって、前記方法が前記被スケジューリングエンティティによって行われ、前記方法が、
所定の基準リソースを特定するステップと、
前記複数のサブバンドのうちの1つまたは複数のサブバンドのセットを決定するステップであって、前記1つまたは複数のサブバンドのセットが、前記所定の基準リソースとは異なり、前記所定の基準リソースのロケーションの関数に基づいてダウンリンク制御チャネルを搬送する、ステップと、
前記所定の基準リソースのロケーションの前記関数に基づいて決定された前記1つまたは複数のサブバンドのセット上で前記ダウンリンク制御チャネルを受信するステップと
を備える、方法。
【請求項２】
前記ダウンリンク制御チャネルを搬送する前記1つまたは複数のサブバンドのセットを決定するステップが、前記所定の基準リソースロケーションに対する固定の周波数オフセットを適用するステップを備える、請求項1に記載の方法。
【請求項３】
前記ダウンリンク制御チャネルを搬送する前記1つまたは複数のサブバンドのセットを決定するステップが、前記所定の基準リソースのロケーションに対する周波数オフセットを適用するステップであって、前記周波数オフセットが前記スケジューリングエンティティと前記被スケジューリングエンティティの両方に知られているパラメータから暗黙的に導出される、ステップを備える、請求項1に記載の方法。
【請求項４】
前記パラメータが、前記ダウンリンク制御チャネルを搬送する前記1つまたは複数のサブバンドのセットを経時的に変動させる時間変動パラメータである、請求項3に記載の方法。
【請求項５】
前記パラメータが、時間変動パラメータ、およびセル固有パラメータまたはゾーン固有パラメータのうちの少なくとも1つを備え、前記方法が、
前記時間変動パラメータと前記セル固有パラメータまたは前記ゾーン固有パラメータとのジョイント関数を適用することによって、前記周波数オフセットを導出するステップをさらに備える、
請求項3に記載の方法。
【請求項６】
経時的に変動するとき、前記ダウンリンク制御チャネルを搬送する前記1つまたは複数のサブバンドのセットが、複数のコンポーネントキャリアの各々の中の少なくとも1つのサブバンドを備える、請求項5に記載の方法。
【請求項７】
前記所定の基準リソースロケーションとの関係の明示的なインジケーションを表す、前記所定の基準リソースロケーションに対応するリソースについての情報を受信するステップをさらに備え、
前記ダウンリンク制御チャネルを搬送する前記1つまたは複数のサブバンドのセットを決定するステップが、前記明示的なインジケーションを前記所定の基準リソースロケーションに適用するステップを備える、
請求項1に記載の方法。
【請求項８】
複数のサブバンドを備えるエアインターフェースを介した、スケジューリングエンティティとのワイヤレス通信を行う装置であって、前記装置が、被スケジューリングエンティティであり、
所定の基準リソースを特定するための手段と、
前記複数のサブバンドのうちの1つまたは複数のサブバンドのセットを決定するための手段であって、前記1つまたは複数のサブバンドのセットが、前記所定の基準リソースとは異なり、前記所定の基準リソースのロケーションの関数に基づいてダウンリンク制御チャネルを搬送する、手段と、
前記所定の基準リソースのロケーションの前記関数に基づいて決定された前記1つまたは複数のサブバンドのセット上で前記ダウンリンク制御チャネルを受信する手段と を備える、装置。
【請求項９】
前記ダウンリンク制御チャネルを搬送する前記1つまたは複数のサブバンドのセットを決定するための手段が、前記所定の基準リソースロケーションに対する固定の周波数オフセットを適用するための手段を備える、請求項8に記載の装置。
【請求項１０】
前記ダウンリンク制御チャネルを搬送する前記1つまたは複数のサブバンドのセットを決定するための手段が、スケジューリングエンティティと被スケジューリングエンティティの両方に知られているパラメータから暗黙的に導出された前記所定の基準リソースのロケーションに対する周波数オフセットを適用するための手段であって、前記周波数オフセットが前記スケジューリングエンティティと前記被スケジューリングエンティティの両方に知られているパラメータから暗黙的に導出される、手段を備える、請求項8に記載の装置。
【請求項１１】
前記パラメータが、前記ダウンリンク制御チャネルを搬送する前記1つまたは複数のサブバンドのセットを経時的に変動させる時間変動パラメータである、請求項10に記載の装置。
【請求項１２】
前記パラメータが、時間変動パラメータ、およびセル固有パラメータまたはゾーン固有パラメータのうちの少なくとも1つを備え、前記決定するための手段が、
前記時間変動パラメータと前記セル固有パラメータまたは前記ゾーン固有パラメータとのジョイント関数を適用することによって、前記周波数オフセットを導出するための手段をさらに備える、
請求項10に記載の装置。
【請求項１３】
前記受信するための手段が、前記所定の基準リソースロケーションとの関係の明示的なインジケーションを表す、前記所定の基準リソースロケーションに対応するリソースについての情報を受信するための手段を備え、
前記ダウンリンク制御チャネルを搬送する前記1つまたは複数のサブバンドのセットを決定するための手段が、前記明示的なインジケーションを前記所定の基準リソースロケーションに適用するための手段を備える、
請求項8に記載の装置。
【請求項１４】
コンピュータ実行可能プログラムを記憶するコンピュータ可読記憶媒体であって、コンピュータによって前記プログラムが実行されると、前記コンピュータに、請求項1から7のいずれか一項に記載の方法を行わせる命令を備える、コンピュータ可読記憶媒体。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
ビデオデータをコード化する方法であって、
クロマブロックの対応するルーマブロックの中央位置に対応する位置に位置する対応するルーマブロックの複数のルーマサブブロックのうちの１つを決定することと、
前記対応するルーマブロックの前記中央位置に位置する前記ルーマサブブロックのうちの１つに関連するルーマモードから前記クロマモードのための導出モード（ＤＭ）を導出すること、前記ルーマブロックは、前記クロマブロックに対応する、と
を備える、前記対応するルーマブロックのイントラ予測モードに基づいて前記ビデオデータの前記クロマブロックのイントラ予測モードを決定することと、
前記決定されたイントラ予測モードにしたがって前記クロマブロックをコード化することと
を備える、方法。
【請求項２】
前記クロマブロックの幅および高さに基づいて前記中央位置を決定することをさらに備える、請求項１に記載の方法。
【請求項３】
前記クロマブロックをコード化することは、前記クロマブロックを復号することを備える、  請求項１に記載の方法。
【請求項４】
前記クロマブロックをコード化することは、前記クロマブロックを符号化することを備える、
請求項１に記載の方法。
【請求項５】
デバイスであって、
ビデオデータを記憶するように構成されたメモリと、
前記メモリと通信する処理回路と
を備え、前記処理回路は、
対応するルーマブロックのイントラ予測モードに基づいて前記ビデオデータのクロマブロックのイントラ予測モードを決定すること、ここにおいて、前記クロマブロックのための前記イントラ予測モードを決定する前記処理回路は、
前記クロマブロックの対応するルーマブロックの中央位置に対応する位置に位置する前記対応するルーマブロックの複数のルーマサブブロックのうちの１つを決定することと、
前記対応するルーマブロックの前記中央位置に位置する前記ルーマサブブロックのうちの１つに関連するルーマモードから前記クロマモードのための導出モード（ＤＭ）を導出することと
を行うように構成される、と、
前記決定されたイントラ予測モードにしたがって前記クロマブロックをコード化することと
を行うように構成される、デバイス。
【請求項６】
前記クロマブロックの対応するルーマブロックの前記中央位置を決定する、
請求項５に記載のデバイス。
【請求項７】
前記クロマブロックをコード化する、前記処理回路は、前記クロマブロックを復号するように構成される、
請求項５に記載のデバイス。
【請求項８】
前記復号済みクロマブロックを含むピクチャを表示するように構成されるディスプレイをさらに備える、
請求項７に記載のデバイス。
【請求項９】
前記クロマブロックをコード化する、前記処理回路は、前記クロマブロックを符号化するように構成される、
請求項５に記載のデバイス。
【請求項１０】
前記クロマブロックを含むピクチャをキャプチャするように構成されたカメラをさらに備える、
請求項９に記載のデバイス。
【請求項１１】
命令を有する非一時的コンピュータ可読媒体であって、
前記命令は、プロセッサによって実行されると、前記プロセッサに、
対応するルーマブロックのイントラ予測モードに基づいて前記ビデオデータのクロマブロックのイントラ予測モードを決定すること、ここにおいて、前記クロマブロックのための前記イントラ予測モードを決定するように、前記命令は、前記プロセッサに、
前記クロマブロックの対応するルーマブロックの中央位置に対応する位置に位置する前記対応するルーマブロックの複数のルーマサブブロックのうちの１つを決定することと、
前記対応するルーマブロックの前記中央位置に位置する前記ルーマサブブロックのうちの１つに関連するルーマモードから前記クロマモードのための導出モード（ＤＭ）を導出することと
を行わせる、と、
前記決定されたイントラ予測モードにしたがって前記クロマブロックをコード化することと
を行わせる、非一時的コンピュータ可読媒体。
【請求項１２】
前記クロマブロックの対応する前記ルーマブロックの前記中央位置を決定する、前記命令は、前記プロセッサに、前記クロマブロックの幅および高さに基づいて前記中央位置を決定することをさらに行わせる、
請求項１１に記載のコンピュータ可読媒体。
【請求項１３】
前記命令は、前記プロセッサに、前記クロマブロックを含む第２のツリー構造から分離した第１のツリー構造を使用して前記対応するルーマブロックの前記サブブロックを決定することをさらに行わせる、
請求項１１に記載のコンピュータ可読媒体。
【請求項１４】
前記クロマブロックを含む第２のツリー構造から分離した第１のツリー構造を使用して前記対応するルーマブロックの前記サブブロックを決定することをさらに備える、
請求項１に記載の方法。
【請求項１５】
前記プロセッサは、前記クロマブロックを含む第２のツリー構造から分離した第１のツリー構造を使用して前記対応するルーマブロックの前記サブブロックを決定することを行うようにさらに構成される、
請求項５に記載のデバイス。
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
無線通信のための方法において、
ランダムアクセス手順を開始するため、モバイルデバイスにおいて、サブキャリア指示を含むメッセージを基地局から受信し、
ランダムアクセスチャネルのリソースを、（１）前記サブキャリア指示、（２）現在のカバレッジレベルの下でランダムアクセスチャネルに割り当てられるサブキャリアの数、及び（３）前記ランダムアクセスチャネルに割り当てられる第１のサブキャリアのインデックスに基づき選択し、
前記ランダムアクセス手順のため選択されたランダムアクセスチャネルのリソースを用いて、ランダムアクセス信号を送信する
ことを特徴とする方法。
【請求項２】
前記ランダムアクセスチャネルのリソースを選択するステップは、
（１）前記ランダムアクセスチャネルに割り当てられた前記第１のサブキャリアのインデックスと、（２）前記ランダムアクセスチャネルに割り当てられるサブキャリアの数を法としたサブキャリア指示との合計を演算することを含む、請求項１に記載の方法。
【請求項３】
無線通信のための装置であって、
ランダムアクセス手順を開始するため、サブキャリア指示を含むメッセージを基地局から受信するよう構成された受信機と、
ランダムアクセスチャネルのリソースを、（１）前記サブキャリア指示、（２）現在のカバレッジレベルの下でランダムアクセスチャネルに割り当てられるサブキャリアの数、及び（３）前記ランダムアクセスチャネルに割り当てられる第１のサブキャリアのインデックスに基づき選択するよう構成されたプロセッサと、
前記ランダムアクセス手順のため、選択された前記リソースを用いて、ランダムアクセス信号を送信するよう構成された送信機と
を備えたことを特徴とする、無線通信のための装置。
【請求項４】
前記プロセッサは、更に、
（１）前記ランダムアクセスチャネルに割り当てられた前記第１のサブキャリアと、（２）前記ランダムアクセスチャネルに割り当てられるサブキャリアの数を法としたサブキャリア指示との合計を演算するよう構成された、請求項３に記載の装置。
【請求項５】
前記ランダムアクセス手順の失敗に応答して、更新されたカバレッジレベル及び前記サブキャリア表示に基づき、第２のランダムアクセスチャネルのリソースを再選択し、前記第２のランダムアクセスチャネルのリソースを使用して前記ランダムアクセス信号を送信する、請求項１に記載の方法。
【請求項６】
ランダムアクセス手順を開始するため、前記基地局からモバイルデバイスへ、サブキャリア指示を含むメッセージを送信し、
前記基地局において、モバイルデバイスから、前記ランダムアクセス手順のためのランダムアクセス信号を、前記前記サブキャリア指示により示されたランダムアクセスチャネルのリソースを用いて受信し、
前記ランダムアクセスチャネルのリソースは、（１）前記サブキャリア指示、（２）現在のカバレッジレベルの下でランダムアクセスチャネルに割り当てられるサブキャリアの数、及び（３）前記ランダムアクセスチャネルに割り当てられる第１のサブキャリアのインデックスに基づき決定される、
無線通信のための方法。
【請求項７】
前記リソースは、（１）前記ランダムアクセスチャネルに割り当てられる前記第１のサブキャリアと、（２）前記ランダムアクセスチャネルに割り当てられるサブキャリアの数を法としたサブキャリア指示との合計を演算することにより決定される、請求項６に記載の方法。
【請求項８】
前記ランダムアクセス手順の失敗に応答して、更新されたカバレッジレベル及び前記サブキャリア表示に基づいて決定された第２のランダムアクセスチャネルのリソースを使用して、前記ランダムアクセス信号を受信する、請求項６に記載の方法。
【請求項９】
前記プロセッサは、前記ランダムアクセス手順の失敗に応答して、更新されたカバレッジレベル及び前記サブキャリア指示に基づいて第２のランダムアクセスチャネルのリソースを再選択するよう構成され、
前記送信機は、前記第２のランダムアクセスチャネルのリソースを用いて前記ランダムアクセス信号を送信する構成された、
請求項３に記載の装置。
【請求項１０】
無線通信のための装置であって、
ランダムアクセス手順を開始するため、サブキャリア指示を含むメッセージをモバイルデバイスに送信するよう構成された送信機と、
ランダムアクセス手順のため、サブキャリア指示により示されたランダムアクセスのリソースを用いて、ランダムアクセス信号を前記モバイルデバイスから受信するよう構成され、
前記ランダムアクセスのリソースは、（１）前記サブキャリア指示、（２）現在のカバレッジレベルの下でランダムアクセスチャネルに割り当てられるサブキャリアの数、及び（３）前記ランダムアクセスチャネルに割り当てられる第１のサブキャリアのインデックスに基づいて決定される
ことを特徴とする装置。
【請求項１１】
前記リソースは、（１）前記ランダムアクセスチャネルに割り当てられた前記第１のサブキャリアのインデックスと、（２）前記ランダムアクセスチャネルに割り当てられるサブキャリアの数を法としたサブキャリア指示との合計を演算することにより決定される、請求項１０に記載の装置。
【請求項１２】
前記受信機は、前記ランダムアクセス手順の失敗に応答して、更新されたカバレッジレベル及び前記サブキャリア指示に基づいて決定された第２ランダムアクセスチャネルのリソースを使用して、前記ランダムアクセス信号を受信するよう構成された、請求項１０に記載の装置。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
単位ステータコア；
前記単位ステータコアに配置されるインシュレーター；および
前記インシュレーターに巻線されるコイルを含み、
前記単位ステータコアは、本体；および
前記本体から仮想の中心に向かって突出するように形成された３個のトゥースを含み、
前記本体は、前記トゥースの間に形成されるノッチを含み、前記ノッチによって前記仮想の中心を基準として所定の曲率を有するように形成され、
前記ノッチの各々は、前記本体の内側円周表面上に形成され、前記ノッチの各々は前記本体の前記内側円周表面から開いており、前記ノッチの各々は前記仮想の中心に面している、
ステータユニット。
【請求項２】
前記仮想の中心に垂直な前記トゥースの断面がＴ字状に形成される、請求項１に記載のステータユニット。
【請求項３】
複数個のステータユニットを円周方向に沿って配置して形成されるステータにおいて、
前記ステータユニットは、
単位ステータコア；
前記単位ステータコアに配置されるインシュレーター；および
前記インシュレーターに巻線されるコイルを含み、
前記単位ステータコアは、
本体；および
前記本体から仮想の中心に向かって突出するように形成された３個のトゥースを含み、
前記本体は前記トゥースの間に形成されるノッチを含み、前記ノッチによって前記仮想の中心を基準として所定の曲率を有するように形成され、
前記ノッチの各々は、前記本体の内側円周表面上に形成され、前記ノッチの各々は前記本体の前記内側円周表面から開いており、前記ノッチの各々は前記仮想の中心に面している、
ステータ。
【請求項４】
６個の前記ステータユニットが円周方向に沿って配置され、
前記ステータユニットの前記単位ステータコアは溶接によって側面が互いに接合される、請求項３に記載のステータ。
【請求項５】
前記ステータユニットのうち２個の前記ステータユニットは、Ｕ相、Ｖ相およびＷ相のうち少なくともいずれか一つの相を具現する、請求項４に記載のステータ。
【請求項６】
それぞれの前記ステータユニットに配置される前記コイルの端部は前記単位ステータコアの上部側に２個配置される、請求項４に記載のステータ。
【請求項７】
３個の前記トゥースのうち真ん中に配置されるトゥース側に巻線されるコイルの巻線方向は、両側に配置されるトゥース側に巻線されるコイルの巻線方向と反対である、請求項３に記載のステータ。
【請求項８】
３個の前記トゥースのうち真ん中に配置されるトゥース側には前記コイルが反時計回り方向に巻線され、両側に配置されるトゥースには前記コイルが時計回り方向に巻線される、請求項７に記載のステータ。
【請求項９】
同じ相を具現する前記２個のステータユニットは前記仮想の中心を基準として対称となる位置に配置される、請求項５に記載のステータ。
【請求項１０】
回転軸；
中央に前記回転軸が配置されるロータ；
前記ロータの外側に配置されるステータ；
前記ロータおよび前記ステータを収容するハウジング；および
前記ステータの上部に配置されるバスバー；を含み、
前記ステータは複数個のステータユニットを円周方向に沿って配置して形成され、
前記ステータユニットは、
単位ステータコア；
前記単位ステータコアに配置されるインシュレーター；および
前記インシュレーターに巻線され、端部が前記バスバーと連結されるコイルを含み、
前記単位ステータコアは、
本体；および
前記本体から仮想の中心に向かって突出するように形成された３個のトゥースを含み、
前記本体は前記トゥースの間に形成されるノッチを含み、前記ノッチによって前記仮想の中心を基準として所定の曲率を有するように形成され、
前記ノッチの各々は、前記本体の内側円周表面上に形成され、前記ノッチの各々は前記本体の前記内側円周表面から開いており、前記ノッチの各々は前記仮想の中心に面している、
モータ。
【請求項１１】
前記ステータは６個の前記ステータユニットが円周方向に沿って配置して形成され、前記ステータユニットの前記単位ステータコアは溶接によって側面が互いに接合される、請求項１０に記載のモータ。
【請求項１２】
前記ステータユニットのうち２個の前記ステータユニットは、Ｕ相、Ｖ相およびＷ相のうち少なくともいずれか一つの相を具現する、請求項１１に記載のモータ。
【請求項１３】
それぞれの前記ステータユニットに配置される前記コイルの端部は前記単位ステータコアの上部側に２個配置される、請求項１２に記載のモータ。
【請求項１４】
前記コイルの端部のそれぞれは前記バスバーのバスバーターミナルとフュージングされる、請求項１３に記載のモータ。
【請求項１５】
３個の前記トゥースのうち真ん中に配置されるトゥース側に巻線されるコイルの巻線方向は、両側に配置されるトゥース側に巻線されるコイルの巻線方向と反対である、請求項１０に記載のモータ。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
可変利得信号増幅器であって、
各ブランチがスイッチ回路及び可変減衰素子を含む複数のブランチを有する第１減衰段であって、共通出力部及び各ブランチ用の入力部を含む第１減衰段と、
多重化された出力を与えるべく前記第１減衰段の共通出力部に結合された増幅段と、
一定範囲の利得レベルにわたって様々な所望の特性を維持する増幅された出力信号を与えるべく、前記増幅段の多重化された出力を受信するように構成された第２減衰段と
を含み、
前記スイッチ回路及び可変減衰素子は、前記スイッチ回路が第１状態において前記可変減衰素子をバイパスする経路を与え、第２状態において前記可変減衰素子を通過する経路を与え、第３状態において前記ブランチを通過するいずれの信号も排除するように構成される増幅器。
【請求項２】
前記信号は無線周波数信号を含む請求項１の増幅器。
【請求項３】
前記第１減衰段は、入力部において受信した信号が前記可変減衰素子により減衰されることなく前記共通出力部に向けられるバイパス経路を与えるべく構成される請求項１の増幅器。
【請求項４】
前記第１減衰段は高利得モードにおいて前記バイパス経路を与えるべく構成される請求項３の増幅器。
【請求項５】
前記高利得モードにおいて、前記可変減衰素子をバイパスすることに少なくとも部分的に起因して信号の雑音指数が増加することはない請求項４の増幅器。
【請求項６】
他の利得モードにおいて、前記可変減衰素子が与えるあつらえられた減衰に少なくとも部分的に起因して前記信号のＩＩＰ３が増加する請求項４の増幅器。
【請求項７】
前記増幅器は、複数のセルラー周波数帯域をカバーする複数の入力部それぞれにおいて信号を受信するように構成される請求項１の増幅器。
【請求項８】
前記増幅器は、特定の入力部において受信した信号を、他の入力部において受信した他の信号の減衰又は増幅から独立して減衰させ又は増幅するように構成される請求項１の増幅器。
【請求項９】
前記第１減衰段、前記増幅段又は前記第２減衰段に制御信号を送信するように構成された制御回路をさらに含む請求項１の増幅器。
【請求項１０】
前記制御回路は、前記第１減衰段に前記可変減衰素子をバイパスする経路を与えさせる高利得モードにおいて、増幅制御信号を与えるように構成された制御器を含む請求項９の増幅器。
【請求項１１】
前記第１減衰段は、前記増幅段に目標の信号を選択的に向けるように構成される請求項１の増幅器。
【請求項１２】
前記増幅された出力信号を受信するべく前記第２減衰段に結合された入力ポートと、複数の出力ポートとを有する分割器をさらに含む請求項１１の増幅器。
【請求項１３】
前記分割器は、前記増幅された出力信号を、前記第１減衰段の特定の入力ブランチに対応する目標出力ポートに向けるべく構成される請求項１２の増幅器。
【請求項１４】
フロントエンドアーキテクチャであって、
可変利得信号増幅器と、
前記可変利得信号増幅器の複数の選択入力に周波数帯域を向けるべく前記可変利得信号増幅器に結合されたフィルタアセンブリと、
複数の利得モードを与えるべく前記可変利得信号増幅器を制御するように実装された制御器と
を含み、
前記可変利得信号増幅器は、
各ブランチがスイッチ回路及び可変減衰素子を含む複数のブランチを有する第１減衰段であって、共通出力部及び各ブランチ用の入力部を有する第１減衰段と、
多重化された出力を与えるべく前記第１減衰段の共通出力部に結合された増幅段と、
一定範囲の利得レベルにわたって様々な所望の特性を維持する増幅された出力信号を与えるべく前記増幅段の多重化された出力を受信するように構成された第２減衰段と
を含み、
前記スイッチ回路及び可変減衰素子は、前記スイッチ回路が第１状態において前記可変減衰素子をバイパスする経路を与え、第２状態において前記可変減衰素子を通過する経路を与え、第３状態において前記ブランチを通過するいずれの信号も排除するように構成され、
高利得モードにおいて、前記可変利得信号増幅器は、特定のブランチにおける前記可変減衰素子を、前記特定のブランチにおけるスイッチ回路を前記第１状態となるように制御することによってバイパスする経路に沿うように信号を向けるフロントエンドアーキテクチャ。
【請求項１５】
前記高利得モードにおいて、前記可変減衰素子をバイパスすることに少なくとも部分的に起因して信号の雑音指数が増加することはない請求項１４のフロントエンドアーキテクチャ。
【請求項１６】
他の利得モードにおいて、前記可変減衰素子が与えるあつらえられた減衰に少なくとも部分的に起因して前記信号のＩＩＰ３が増加する請求項１５のフロントエンドアーキテクチャ。
【請求項１７】
前記複数のブランチの個々のブランチに対し前記第１減衰段は、前記可変減衰素子を通過する減衰経路と前記可変減衰素子を通過しないバイパス経路とを与えるように構成される請求項１４のフロントエンドアーキテクチャ。
【請求項１８】
無線デバイスであって、
ダイバーシティアンテナと、
信号を受信して選択経路に沿うように周波数帯域を向けるべく前記ダイバーシティアンテナに結合されたフィルタアセンブリと、
選択経路から信号を受信するべく前記フィルタアセンブリに結合された可変利得信号増幅器と、
複数の利得モードを与えるべく前記可変利得信号増幅器を制御するように実装された制御器と
を含み、
前記可変利得信号増幅器は、
各ブランチがスイッチ回路及び可変減衰素子を含む複数のブランチを有する第１減衰段であって、共通出力部及び各ブランチ用の入力部を含む第１減衰段と、
多重化された出力を与えるべく前記第１減衰段の共通出力部に結合された増幅段と、
一定範囲の利得レベルにわたって様々な所望の特性を維持する増幅された出力信号を与えるべく前記増幅段の多重化された出力を受信するように構成された第２減衰段と
を含み、
前記スイッチ回路及び可変減衰素子は、前記スイッチ回路が第１状態において前記可変減衰素子をバイパスする経路を与え、第２状態において前記可変減衰素子を通過する経路を与え、第３状態において前記ブランチを通過するいずれの信号も排除するように構成され、
高利得モードにおいて、前記可変利得信号増幅器が、特定のブランチにおいて前記可変減衰素子を、前記特定のブランチにおけるスイッチ回路を前記第１状態となるように制御することによってバイパスする経路に沿うように信号を向けるデバイス。
【請求項１９】
前記高利得モードにおいて、前記可変減衰素子をバイパスすることに少なくとも部分的に起因して信号の雑音指数が増加することはない請求項１８のデバイス。
【請求項２０】
他の利得モードにおいて、前記可変減衰素子が与えるあつらえられた減衰に少なくとも部分的に起因して前記信号のＩＩＰ３が増加する請求項１９のデバイス。
【手続補正書】
【提出日】令和2年6月19日(2020.6.19)
【手続補正１】
【補正対象書類名】特許請求の範囲
【補正対象項目名】請求項１
【補正方法】変更
【補正の内容】
【請求項１】
少なくとも２種のアミノポリカルボン酸の塩（Ａ）の顆粒を製造する方法であって、以下の工程、
（ａ）
（Ａ１）メチルグリシン二酢酸（ＭＧＤＡ）のＬ−及びＤ−鏡像体の混合物であって、１０〜９５％の範囲の鏡像体過剰率（ｅｅ）を有するそれぞれのＬ−異性体を主に含有する混合物の少なくとも１種のアルカリ金属塩、
（Ａ２）グルタミン酸二酢酸（ＧＬＤＡ）のＬ−及びＤ−鏡像体又は鏡像異性的に純粋なＬ−ＧＬＤＡの少なくとも１種のアルカリ金属塩、
の水溶液であって、
（Ａ１）及び（Ａ２）の質量比が１：９〜９：１の範囲にある、
水溶液を提供する工程、
（ｂ）前記溶液を少なくとも１２５℃のガス入口温度で噴霧造粒する工程
を含む方法。